(57)【特許請求の範囲】
【請求項１】
撮影面へのストロボ光の受光量を検出するストロボ光量検出手段を有し、前記撮影面内における前記ストロボ光量検出手段の光量検出可能領域内に複数の焦点検出領域が配置され、これら焦点検出領域の中から合焦領域を選択可能なカメラにおいて、
前記光量検出可能領域のうち前記合焦領域が配置された部分の前記ストロボ光量検出手段の検出感度に応じて前記ストロボ光量検出手段の目標検出受光量を設定する制御手段を有することを特徴とするカメラ。
【請求項２】
前記焦点検出領域が、前記光量検出可能領域のうち前記ストロボ光量検出手段が所定検出感度を有する所定感度部分と前記所定検出感度と異なる検出感度を有する異感度部分とにそれぞれ配置されており、
前記制御手段は、前記合焦領域が前記異感度部分に配置されているときは、この異感度部分における前記ストロボ光量検出手段の検出感度と前記所定検出感度との差に応じて前記ストロボ光量検出手段の目標検出受光量を設定することを特徴とする請求項１に記載のカメラ。
【請求項３】
前記制御手段は、前記合焦領域の選択数に応じて前記ストロボ光量検出手段の目標検出受光量を設定することを特徴とする請求項１又は２に記載のカメラ。
【請求項４】
前記制御手段は、被写体距離に応じて前記ストロボ光量検出手段の目標検出受光量を設定することを特徴とする請求項１から３のいずれかに記載のカメラ。
【請求項５】
前記制御手段は、前記合焦領域が前記光量検出可能領域内で複数選択されたときは、これら複数の合焦領域が配置された部分の前記ストロボ光量検出手段の検出感度のうち最も低い検出感度に応じて前記ストロボ光量検出手段の目標検出受光量を設定することを特徴とする請求項１から４のいずれかに記載のカメラ。
【請求項６】
前記制御手段は、前記ストロボ光量検出手段の実検出受光量が前記目標検出受光量に達したときに、ストロボ発光を停止させることを特徴とする請求項１から５のいずれかに記載のカメラ。
【請求項７】
前記ストロボ光量検出手段が複数設けられているとともに、前記各ストロボ光量検出手段の光量検出可能領域内に焦点検出領域が配置されており、
前記制御手段は、光量検出可能領域内に前記合焦領域が配置されたストロボ光量検出手段に所定の重み付けをして前記各ストロボ光量検出手段の目標検出受光量を設定することを特徴とする請求項１から６のいずれかに記載のカメラ。
【請求項８】
前記制御手段は、前記複数のストロボ光量検出手段のうちいずれかの実検出受光量がこのストロボ光量検出手段の目標検出受光量に達したときに、ストロボ発光を停止させることを特徴とする請求項７に記載のカメラ。
【請求項９】
前記目標検出受光量のデータを記憶する消去書き込み可能なメモリを有することを特徴とする請求項１から８のいずれかに記載のカメラ。
【発明の詳細な説明】
【０００１】
【発明の属する技術分野】
本発明は、複数の焦点検出領域を有するカメラにおけるストロボ発光制御に関するものである。
【０００２】
【従来の技術】
従来のカメラにおける複数の焦点検出領域と撮影画面へのストロボ入射光量を検出する調光センサー（ストロボ光量検出手段）との関係は、例えば図１２に示すようになっている。すなわち、３つの調光センサーが分割形成された調光センサーユニットは、各調光センサーに対応する３つの光量検出可能領域Ａ′，Ｂ′，Ｃ′を有しており、各光量検出可能領域のうち最大検出感度を有する中央部に焦点検出領域ＳＬ，ＳＣ，ＳＲが配置されている。なお、各光量検出可能領域内では外側にいくほどセンサー感度が低下し、各光量検出可能領域内の曲線ＬＡ１〜ＬＡ５上の部分はそれぞれ等しいセンサー感度を有することを示している。
【０００３】
そして、上記カメラでは、複数の焦点検出領域の中から合焦領域を選択的に設定できるようになっており、選択された合焦領域が含まれる光量検出可能領域を有する調光センサーを選択して、この選択された調光センサーによる目標検出受光量をフィルムのＩＳＯ感度や絞り値等から決定するとともに、合焦領域が含まれない光量検出可能領域を有する調光センサーに対しては上記目標検出受光量に対して一律所定量オーバーとなるように目標検出受光量を補正する。
【０００４】
例えば、中央の焦点検出領域ＳＣで合焦動作を行なった場合、中央に人物又は被写体がいると判断し、この中央部が適正ストロボ発光量となるよう、中央のセンサーＢを中心とした重みづけが行なわれ、図１３に示すように、センサーＢに対して０段のストロボ光量の目標検出受光量補正量が、センサーＡ，Ｃに対して＋１．０段の目標検出受光量補正量が設定される。
【０００５】
センサーＢに対して設定された補正量０段とは、フィルムのＩＳＯ感度や絞り値等より算出されるそのままの値で目標検出受光量が設定されることを意味し、センサーＡ，Ｃに対して設定された補正量＋１．０段とは、上記値より＋１．０段多い目標検出受光量が設定されることを意味する。これは中央被写体にピントを合わせ、中央被写体をストロボ適正光量で撮影しようとした場合、中央被写体がかなり遠く、それより近い距離における左又は右に物体があるようなシーンでは、その左又は右の物体が異常にオーバーな露出になるのを防止するために設定される。
【０００６】
同様に、左焦点検出領域ＳＬで合焦動作を行なった場合は、センサーＡに対して補正量０段、センサーＢ，Ｃに対して補正量＋１．０段の重みづけを行ない、右焦点検出領域ＳＲで合焦動作を行なった場合は、センサーＣに対して補正量０段、センサーＡ，Ｂに対して補正量＋１．０段の重みづけを行なうようになっている。
【０００７】
こうして各調光センサーの目標検出受光量を設定した上で、ストロボ発光させ、いずれかのセンサーの検出受光量がそのセンサーに対して設定された目標検出受光量に達したときにストロボ発光が停止される。
【０００８】
【発明が解決しようとする課題】
ところで、図１２の例のように焦点検出領域数が比較的少なく、光量検出可能領域数（すなわち、調光センサーの分割数）とほぼ１対１に対応していれば複雑な制御を特に行う必要はない。
【０００９】
しかしながら、最近のカメラでは焦点検出領域数を大幅に増加させる傾向にあり、焦点検出領域数と調光センサーの分割数とを同じにすると、調光センサーのコストアップにつながる。
【００１０】
また、焦点検出領域数を増加させると焦点検出装置が大型化し、このため調光センサーをフィルム面に近づけて配置しなければならなくなっている。そして、調光センサーをフィルム面に近づけると、例えばフィルム面中央に対する調光センサー感度とフィルム上下部に対する調光センサー感度とが大きく異なり、高感度部分に配置された焦点検出領域が合焦領域として選択された場合と低感度部分に配置された焦点検出領域が合焦領域として選択された場合とで上記のように一律にストロボ制御を行うことができない。
【００１１】
すなわち、最大センサー感度に対して大きく低下した感度しか有さないフィルム面上下部の焦点検出領域が合焦領域として選択された場合に、最大センサー感度を有するフィルム面中央部の焦点検出領域が合焦領域として選択された場合と同様にストロボ発光量制御を行うと、フィルム面上下部に、センサー感度が低い分多くのストロボ光が受光されないと、調光センサーの検出受光量が最大センサー感度に対して設定された目標検出受光量に達しないため、被写体にかなり多くのストロボ光量が与えられることとなり、露出オーバーの写真が撮影されることになる。
【００１２】
また、自動合焦領域選択機能により合焦領域が複数選択された場合には、これら合焦領域のうち信頼性の高い合焦領域を１つだけ抽出し、この抽出した合焦領域に対応する調光センサーの目標受光量に対してこの調光センサー以外の調光センサーの目標検出受光量が一律所定量オーバーとなるように補正しているため、全ての焦点検出領域が調光センサーの低感度部分であるようなときに、前記と同様に露出オーバーの写真が撮影されてしまう。
【００１３】
さらに、調光センサーの感度分布上、被写体の大きさや距離にも大きく影響されてストロボ発光量に大きな差が出ることとなり、撮影したストロボ発光撮影写真にばらつきが生じてしまう。
【００１４】
【課題を解決するための手段】
上記の課題を解決するため、本発明では、撮影面へのストロボ光の受光量を検出するストロボ光量検出手段を有し、撮影面内におけるストロボ光量検出手段の光量検出可能領域内に複数の焦点検出領域が配置され、これら焦点検出領域の中から合焦領域を選択可能なカメラにおいて、上記光量検出可能領域のうち選択された合焦領域が配置された部分のストロボ光量検出手段の検出感度に応じてストロボ光量検出手段の目標検出受光量を設定する制御手段を設けている。
【００１５】
具体的には、焦点検出領域が上記光量検出可能領域のうちストロボ光量検出手段が所定検出感度（例えば、最大検出感度）を有する所定感度部分と所定検出感度と異なる検出感度を有する異感度部分とにそれぞれ配置されている場合に、選択された合焦領域が異感度部分に配置されているときは、この異感度部分におけるストロボ光量検出手段の検出感度と所定検出感度との差に応じてストロボ光量検出手段の目標検出受光量を設定し、ストロボ光量検出手段の実検出受光量が目標検出受光量に達したときにストロボ発光を停止させる。こうして、合焦領域がストロボ光量検出手段の低感度部分等にて選択された場合でも、確実に適正なストロボ光露出が得られ、複数の焦点検出領域に対してストロボ光量検出手段を１つ設ければ足りるようにしている。
【００１６】
なお、上記発明において合焦領域の選択数に応じてストロボ光量検出手段の目標検出受光量を設定するようにして、撮影者により合焦領域が任意に１つだけ選択された場合でも自動合焦領域選択機能により複数選択された場合でも、それぞれの場合に応じた最適なストロボ光露出が得られるようにしてもよい。また、被写体距離に応じてストロボ光量検出手段の目標検出受光量を設定するようにして、被写体距離（つまりは撮影画面内での被写体の大きさ）によるストロボ発光量のばらつきを抑えるようにしてもよい。
【００１７】
また、合焦領域が光量検出可能領域内で複数選択されたときは、これら複数の合焦領域が配置された部分のストロボ光量検出手段の検出感度のうち最も低い検出感度に応じてストロボ光量検出手段の目標検出受光量を設定するようにして、各合焦領域に対応する検出感度が異なる場合でも、露出オーバーとなるのを確実に防止することができるようにするのが望ましい。
【００１８】
さらに、ストロボ光量検出手段が複数設けられているとともに、各ストロボ光量検出手段の光量検出可能領域内に焦点検出領域が配置されている場合には、光量検出可能領域内に合焦領域が配置されたストロボ光量検出手段に所定の重み付けをして各ストロボ光量検出手段の目標検出受光量を設定し、複数のストロボ光量検出手段のうちいずれかの実検出受光量がこのストロボ光量検出手段の目標検出受光量に達したときにストロボ発光を停止させるようにして、合焦した主被写体に対して適正なストロボ光露出を得ることができるとともに、主被写体よりも近い位置にある被写体に対して露出オーバーになるのを防止できるようにするのが望ましい。
【００１９】
なお、目標検出受光量のデータを記憶する消去書き込み可能なメモリを設けて、メインプログラムを変更することなく簡単にデータの修正等を行えるようにするのが望ましい。
【００２０】
【発明の実施の形態】
（第１実施形態）
図１には、本発明の第１実施形態であるカメラの構成を示している。この図において、１は撮影レンズである。２は撮影レンズ１を透過した光をファインダー側へ導く主ミラーで、中央部は半透過ミラーとなっている。この半透過部を透過した光は、サブミラー３にてＡＦユニット８へと導かれる。
【００２１】
４はフィルム面で、ストロボを用いたストロボ撮影時は、このフィルム面４にて反射した光を調光レンズ１０を介して調光センサーユニット９で検出し、ストロボ光量の制御を行なっている。
【００２２】
５は、ファインダー上に撮影像を形成し撮影者がピントの合った時を判断できるようにしたフォーカシングスクリーン、６はペンタプリズム、７はアイピースレンズである。
【００２３】
調光センサーユニット９は、図２に示すように、Ａ，Ｂ，Ｃの３つのセンサー（ストロボ光量検出手段）に分割され、フィルム面４のストロボ反射光を３領域で検出できるようになっている。図３には、調光センサー９の３つの光量検出可能領域と、各光量検出可能領域における調光センサー９の感度分布とをフィルム面に対応させて表示している。この図において、調光センサー９のうちセンサーＡは光量検出可能領域Ａ′を、センサーＢは光量検出可能領域Ｂ′を、センサーＣは光量検出可能領域Ｃ′をそれぞれ有する。
【００２４】
また、各光量検出可能領域内の中央（等感度曲線ＬＡ１に囲まれた部分の中央）は最大センサー感度を有し、外側ほどセンサーユニット９へ導かれる光量が低下するためにセンサー感度も低下する。具体的には、等感度曲線ＬＡ１上の部分のセンサー感度は中央部に対し０．３段低下し、等感度曲線ＬＡ２上の部分のセンサー感度は中央部に対し０．６段低下する。また、等感度曲線ＬＡ３上の部分のセンサー感度は中央部に対し０．９段低下し、等感度曲線ＬＡ４上の部分のセンサー感度は中央部に対し１．２段低下する。さらに、等感度曲線ＬＡ５上から外側の部分のセンサー感度は中央部に対し１．５段低下する。
【００２５】
また、この感度分布において、上部の等感度曲線の間隔が下部の等感度曲線の間隔よりも狭いのは、図１に示すように、調光センサーユニット９がフィルム面４に対して斜め下側に配置され、調光レンズ１０とフィルム面４の上部との角度が調光レンズ１０とフィルム面４の下部との角度よりも小さく、またフィルム面４に均一に光を与えたとしてもフィルム面４の上部からの反射光量は少なく、フィルム面４の下部からの反射光量は多いことによる。
【００２６】
図４には、本実施形態のカメラの電気制御回路を示している。５０はカメラ内の各種演算や制御を行うＭＰＵであり、このＭＰＵ５０内には、カメラの調整値や補正値等を記憶するＥＥＰＲＯＭ５１が設けられている。５２は不図示の多分割されたセンサーを持つ測光回路である。５３は焦点検出回路で、図５に示すように撮影視野７１内にａ１〜ｅ３までの１５の焦点検出領域を有している。
【００２７】
５４はシャッター制御回路である。５５は調光回路で、図２に示す３分割のセンサー９を有する。
【００２８】
５６はモーター制御回路で、フィルムの給送や巻戻しを行うモータ（Ｍ１）５７と、ミラー駆動やシャッターのメカ的なチャージを行うモータ（Ｍ２）５８を駆動制御する。
【００２９】
５９はレンズ制御回路で、不図示のフォーカス駆動や絞り駆動を行なっている。６０はカメラの状態や演算されたＴＶ値やＡＵ値などを表示する表示回路である。６１はストロボ撮影時に制御されるストロボ発光制御回路で、ＳＷＸがシャッターの先幕走行にてオンすることによりストロボ発光を開始させる。なお、ＭＰＵ５０およびストロボ発光制御回路６１が請求の範囲にいう制御手段に相当する。
【００３０】
６２はカメラの設定操作やメカ的作動を検知するスイッチ検出回路で、測光や焦点検出等をスタートさせるＳＷ１や、レリーズ動作を開始させるＳＷ２や、焦点検出領域の選択スイッチＳＷ３や、ＴＶ値やＡＶ値を設定するメイン電子ダイヤル６３およびサブ電子ダイヤル６４等により構成される。
【００３１】
ここで、メイン電子ダイヤル６３及びサブ電子ダイヤル６４は焦点検出領域選択設定時にも用いられる。その選択設定方法を図６を用いて簡単に説明する。図６（１）及び（２）は、１５の焦点検出領域のうちカメラが合焦動作を行う合焦領域を任意に設定する場合の設定方法を示しており、（１）に示す状態で焦点検出領域選択スイッチＳＷ３を押すと、前回設定された合焦領域がｂ２であればｂ２が選択されていることを表示回路６０によりカメラ外部のＬＣＡ表示器もしくは公知のファインダー内スーパーインポーズ表示にて点灯表示する。この状態で、例えばメイン電子ダイヤル６３を２クリック右回転させると、この点灯表示はｂ２→ｃ２→ｄ２へと右方向に移動し、焦点検出領域ｄ２が今回の合焦領域として設定される。さらにこの状態でサブ電子ダイヤル６４を１クリック右回転させると、（２）に示すように、点灯表示はｄ２→ｄ３へと下方向に移動し、焦点検出領域ｄ３が今回の合焦領域として設定される。
【００３２】
また、同様に、メイン電子ダイヤル６３を左回転により左方向への合焦領域の移動設定が可能であり、サブ電子ダイヤル６４の左回転により上方向への合焦領域の移動設定が可能である。
【００３３】
さらに、図６（１）のｄ２設定状態からさらにメイン電子ダイヤル６３を右方向に２クリック回転させた場合や、図６（２）のｄ３設定状態よりさらにサブ電子ダイヤルを右方向に１クリック回転させた場合は、図６（３）に示すように、１５の焦点検出領域のうち外周部の領域全てを点灯表示され、カメラが１５の焦点検出領域の中から被写体に応じて自動的に焦点検出領域を選択し、合焦動作を行う焦点検出領域自動選択モードが設定される。
【００３４】
なお、焦点検出領域自動選択モードに設定された状態から、上記と逆の操作によって再度任意の焦点検出領域を合焦領域として設定することも可能である。
【００３５】
図７には、本カメラにおける撮影視野７１と上記１５の焦点検出領域ａ１〜ｅ３と調光センサーＡ，Ｂ，Ｃの光量検出可能領域Ａ′，Ｂ′，Ｃ′との関係を示している。すなわち、焦点検出領域ａ２はセンサーＡの光量検出可能領域Ａ′のうち最大センサー感度を有する部分に配置され、焦点検出領域ｃ２はセンサーＢの光量検出可能領域Ｂ′のうち最大センサー感度を有する部分に配置され、焦点検出領域ｅ２はセンサーＣの光量検出可能領域Ｃ′のうち最大センサー感度を有する部分に配置されるように調光レンズ１０の光学配置がなされている。
【００３６】
また、焦点検出領域ａ１，ｃ１，ｅ１はそれぞれ光量検出可能領域Ａ′，Ｂ′，Ｃ′のうち最大センサー感度に対して１．２段アンダーのセンサー感度を有する部分（等感度曲線ＬＡ４上）に配置され、焦点検出領域ａ３，ｃ３，ｅ３はそれぞれ光量検出可能領域Ａ′，Ｂ′，Ｃ′のうち最大センサー感度に対して０．９段アンダーのセンサー感度を有する部分（等感度曲線ＬＡ３上）に配置されている。また、焦点検出領域ｂ２は光量検出可能領域Ａ′，Ｂ′のうち最大センサー感度に対して１．２段アンダーのセンサー感度を有する部分（等感度曲線ＬＡ４上）に配置され、焦点検出領域ｄ２は光量検出可能領域Ｂ′，Ｃ′のうち最大センサー感度に対して１．２段アンダーのセンサー感度を有する部分（等感度曲線ＬＡ４上）に配置されている。
【００３７】
さらに、焦点検出領域ｂ１，ｂ３は光量検出可能領域Ａ′，Ｂ′のうち最大センサー感度に対して１．５段アンダーのセンサー感度を有する部分（等感度曲線ＬＡ５の近傍）に配置され、焦点検出領域ｄ１，ｄ３は光量検出可能領域Ｂ′，Ｃ′のうち最大センサー感度に対して１．５段アンダーのセンサー感度を有する部分（等感度曲線ＬＡ５の近傍）に配置されている。
【００３８】
なお、１５の焦点検出領域ａ１〜ｅ３および各センサー部Ａ，Ｂ，Ｃは、画面中央Ｇラインに対し、左右対称となるように配置されている。
【００３９】
次に、以上のように構成されたカメラの動作について図８および図９のフローチャートを用いて説明する。なお、図８における丸囲みのＡ〜Ｄのラインは、図９における丸囲みのＡ〜Ｄのラインにつながっている。
【００４０】
カメラの電源をオンすると動作を開始し（＃１００）、＃１０１にて測光、焦点検出等を開始させるＳＷ１の検知を行う。ここでＳＷ１がオンであることを検知すると、＃１０２へ移行し、焦点検出領域選択モードが、図６（１），（２）にて説明したように撮影者が任意に焦点検出領域を選択し、その選択された焦点検出領域にて合焦動作を行なう焦点検出領域任意選択モードか、全焦点検出領域のうちカメラが自動的に被写体の状況を判断して選択した焦点検出領域で合焦動作を行う焦点検出領域自動選択モードかを判別する。次に、＃１０３では、通常のＡＦ撮影か、ストロボ撮影かの判別も行なう。なお、本実施形態におけるストロボ撮影は、カメラに内蔵されるストロボを使用しても、外部に接続されるクリップオンタイプのストロボ装置を使用してもよい。
【００４１】
続いて＃１０４では、不図示の多分割測光センサーを含む測光回路５２を駆動し、外光の明るさを測光する。
【００４２】
次に、＃１０５では、＃１０４で測光した値から演算して求めたＴＶ値、ＡＶ値や、＃１０２で判別した焦点検出領域選択モード、＃１０３で判別したストロボ撮影か否か等の表示も、不図示のファインダー内表示器や外部表示器を表示回路６０にて駆動して行う。
【００４３】
次に、＃１０６では、＃１０２で判別された焦点検出領域選択モードに応じて焦点検出回路５３を駆動すると共にレンズ制御回路５９内のフォーカス駆動装置を駆動しながら焦点検出および合焦動作を行う。
【００４４】
また、この動作とほぼ同時に、＃１０７での合焦判別も行ない、合焦状態でなければ＃１０４に戻り、上記の動作をくり返す。合焦状態であれば＃１０８に移行し、合焦した旨を撮影者に知らせる表示を行う。ここでの表示は、公知のファインダー内スーパーインポーズ表示等によって行われ、任意選択点での合焦時はその任意選択点（合焦領域）が点灯表示される一方、自動選択時での合焦時はカメラが自動的に選択した合焦領域が点灯表示されるとともに、所定の被写界深度内に入る焦点検出領域を含む複数の合焦領域が点灯表示される場合もある。
【００４５】
次に、＃１０９でストロボの設定状態や充電が完了されているか等の判別を行うとともにストロボ撮影を行うか否かの判定を行ない、ストロボ撮影でなければ＃１２２へ移行する。ストロボ撮影であると判定したときは＃１１０に進んで、合焦した状態のレンズ１の停止位置から被写体までの距離を求め、その距離が所定値より近距離側である場合には＃１１１に進んで、ＲＡＭ上に近距離フラグをセットし、距離が所定値より遠距離側である場合には＃１１２に進んで、ＲＡＭ上に遠距離フラグをセットする。
【００４６】
続いて＃１１３に移行し、＃１０８にて表示した合焦領域が１つか複数かの判定を行い、１つである場合には＃１１４で＃１１１又は＃１１２にてセットした距離フラグを読み取り、近距離フラグがセットされていた場合には＃１１５にて合焦領域に対する調光センサーＡ，Ｂ，Ｃの目標検出受光量の補正量を、図１１に示すように予め設定されたデータの中から読み取る。また、遠距離フラグがセットされていた場合には＃１１６にて合焦領域に対する調光センサーＡ，Ｂ，Ｃの目標検出受光量の補正量を、図１０に示すように予め設定されたデータの中から読み取る。
【００４７】
ここで、図１０及び図１１に示すように、本実施形態では、１５の焦点検出領域ａ１〜ｅ３に対し、各焦点検出領域が合焦領域として選択された場合における３つの調光センサーＡ，Ｂ，Ｃの目標検出光量に対するそれぞれの補正データを被写体が近距離の場合と遠距離との場合とに分けて持っている。
【００４８】
この補正データでは、焦点検出領域ａ２が合焦領域として選択された場合の調光センサーＡの目標検出受光量の補正量、焦点検出領域ｃ２が合焦領域として選択された場合の調光センサーＢの目標検出受光量の補正量、焦点検出領域ｅ２が合焦領域として選択された場合の調光センサーＣの目標検出受光量の補正量をそれぞれ０段とし、上記各場合における光量検出可能領域に合焦領域を含まない調光センサーの補正量を＋１．０段にしている。
【００４９】
ここで、補正量０段とは、フィルムのＩＳＯ感度や絞り値等より算出されるそのままの値で目標検出受光量が設定されることを意味し、補正量＋１．０段とは、上記値より＋１．０段多い目標検出受光量が設定されることを意味する。これは中央被写体にピントを合わせ、中央被写体をストロボ適正光量で撮影しようとした場合、中央被写体がかなり遠く、それより近い距離における左又は右に物体があるようなシーンでは、その左又は右の物体が異常にオーバーな露出になるのを防止するために設定されるものである。
【００５０】
しかしながら、上記焦点検出領域ａ２，ｃ２，ｅ２以外の焦点検出領域が合焦領域として選択されストロボ撮影するような場合には、調光センサーの感度分布が大きく影響し、例えば、焦点検出領域ｂ１が合焦領域として選択された場合に、焦点検出領域ａ２が選択された場合と同じセンサーＡの目標検出受光量にてストロボ撮影制御を行うと、焦点検出領域ａ２が選択された場合に対して１．５段分ストロボ光を多く受光しないと調光センサーＡにおける実検出受光量が同一とならないため、被写体に多すぎるストロボ光量が与えられることになり、露光オーバーの写真となってしまう。
【００５１】
このため、本実施形態では、光量検出可能領域内に合焦領域を含む調光センサーに対して、その合焦領域が配置された部分での調光センサーの最大感度からの感度低下分の値を補正量として設定し、光量検出可能領域内に合焦領域を含まない調光センサーに対しては、上記補正量より１段オーバーの重み付けを行う補正量を設定している。また、複数の調光センサーの光量検出可能領域内に配置された焦点検出領域が合焦領域として選択された場合は、それら複数の調光センサーを主として補正がかかるように設定している。つまり、焦点検出領域ｂ１〜ｂ３が選択されたときは調光センサーＡ，Ｂを主として、焦点検出領域ｄ１〜ｄ３が選択されたときは調光センサーＢ，Ｃを主として補正の重み付けが行なわれる。また、遠距離時と近距離時とでは、光量検出可能領域内に合焦領域を含む調光センサーに対する補正量が異なる。すなわち、遠距離時は被写体の大きさも小さく、調光センサーの感度分布が大きく影響しやすいため、ある程度感度分布が優先される補正量となっているが、近距離時は、被写体が人物の場合等、選択された合焦領域近傍にもストロボ光を反射する被写体があったり、反射光も遠距離時に比べて多く調光センサーに入り易くなったりする。このため、光量検出可能領域内に合焦領域を含む調光センサーの補正量は、近距離時の補正量が遠距離時の補正量の約半分となるように設定されている。
【００５２】
なお、以上の補正データは、ＭＰＵ５０内のＥＥＰＲＯＭ５１に予め書き込まれており、ストロボ発光制御時に適時読み取られ、処理される。
【００５３】
フローチャートに戻って、＃１１３で、＃１０８にて表示した合焦領域が複数である場合には、＃１１７に進み、＃１１４と同様に＃１１１又は＃１１２にてセットした距離フラグを読み取る。近距離フラグがセットされている場合には、＃１１８に進み、上記複数の合焦領域の全てに対する調光センサーＡ，Ｂ，Ｃの目標検出受光量の補正量を図１１のデータから読み取り、また距離フラグが遠距離にセットされている場合には、＃１１９に進み、上記複数の合焦領域の全てに対する調光センサーＡ，Ｂ，Ｃの目標検出受光量の補正量を図１０のデータから読み取る。次に、＃１２０の補正量再決定ステップに移行し、ここでは、＃１１８又は＃１１９にて読み取った複数の補正データから最終的に用いる補正量を算出する。
【００５４】
ここでの算出方法としては、例えば遠距離時に、上部の焦点検出領域ａ１，ｂ１，ｃ１，ｄ１，ｅ１の全てが合焦領域として選択された場合、各調光センサーの補正量として最も少ない値を算出する。すなわち、調光センサーＡに対する補正量は、焦点検出領域ａ１の−１．２段と焦点検出領域ｂ１の−１．５段のうち少ない方の−１．５段を採用し、同様に調光センサーＢに対する補正量は、焦点検出領域ｂ１，ｄ１の−１．５段および焦点検出領域ｃ１の−１．２段のうち最も少ない−１．５段を採用する。また、調光センサーＣに対する補正量は、焦点検出領域ｄ１，ｅ１の−１．５段を採用し、最終的な各調光センサーＡ，Ｂ，Ｃの補正量として−１．５段を採用する。
【００５５】
また、近距離時に、左側の焦点検出領域ａ１，ａ２，ａ３の全てが合焦領域として選択された場合、調光センサーＡの補正量は、焦点検出領域ａ１，ａ２，ａ３の−１．２段，０段，−０．６段のうち最も小さい−１．２段を採用し、他の緒光センサーＢ，Ｃに対する補正量はその値に対して＋１段の重み付けを用い、最終的な調光センサーの補正量として、センサーＡは−１．２段、センサーＢ，Ｃは−０．２段を採用する。
【００５６】
前記＃１１５、＃１１６、＃１１８、＃１１９にてそれぞれ決定された補正量は、＃１２１にてストロボ発光制御回路６１にセットされる。これにより、光量検出可能範囲内に合焦領域を含む調光センサーに対してはその合焦領域が配置された部分のセンサー感度に応じた目標検出受光量がセットされ、光量検出可能範囲内に合焦領域を含まない調光センサーに対しては上記目標検出受光量に対して１段オーバーの目標検出受光量がセットされることになる。
【００５７】
次に＃１２２に移行し、露光動作へ継続させるか否かの判断をＳＷ１のオン・オフにより検知し、オフであれば各演算値や補正値等をクリアして＃１０１へ戻る。オンであれば＃１２３で露光動作を開始するか否かをＳＷ２のオン・オフで判断し、オフならば＃１２２へ戻り、ＳＷ１がオン中であれば、この＃１２２と＃１２３をくり返してＳＷ２のオンを待つ。
【００５８】
＃１２３でＳＷ２がオンされると露光動作を開始する。そして、＃１２４でモーター制御回路５６を介してモータ（Ｍ２）５８を駆動し、ミラーをアップさせると共に、＃１２５でレンズ制御回路５９内の絞りを駆動し、所定絞り値に設定する。続いて＃１２６でシャッター制御回路５４にシャッター先幕駆動を行わせ、＃１２７へと移行する。
【００５９】
＃１２７では、＃１０９と同様にして再度ストロボ撮影状態であるか否かの判定を行い、ストロボ撮影設定状態でなければ＃１３１へ移行し、通常のＡＥ撮影として、ＴＶ値に従った秒時にて、シャッター制御回路５４にシャッター後幕駆動を行わせる。
【００６０】
＃１２７でストロボ撮影状態と判断すると、＃１２８でストロボ制御回路６１内のＳＷ４のオンを待ち、ＳＷＸがオンすると＃１２９にてストロボの発光を開始する。
【００６１】
次いで＃１３０では、３つの調光センサーＡ，Ｂ，Ｃにより検出されるフィルム面４でのストロボ反射光をモニター積分し、いずれかの調光センサーの積分値（実検出受光量）が、＃１２１にてストロボ発光制御回路６１にセットされたその調光センサーの目標検出受光量（調光値）に達したときはストロボ発光を停止させる。
【００６２】
こうして合焦領域が調光センサーの光量検出可能領域内におけるいずれの検出感度を有する部分で選択されても、確実に適正なストロボ光露出を得ることができる。したがって、本実施形態のように、焦点検出領域ａ１〜ｅ３が１５設けられても３つの調光センサーＡ，Ｂ，Ｃを設けるだけで、選択される合焦領域の位置にかかわらず適正なストロボ光露出を得ることができる。
【００６３】
ストロボ発光停止と同時に、＃１３１にてストロボ秒時、通常同調秒時と言われる秒時にてシャッターの後幕駆動を行い、露光動作を完了させる。その後＃１３２にてモーター制御回路５６を介しモータ（Ｍ２）５８を駆動してミラーのダウンやシャッターの初期位置へのチャージなどメカのチャージが行われ、それとほぼ同時に＃１３３にてモータ（Ｍ１）５７も駆動してフィルムの巻き上げを行い、＃１３４にてフローを終了する。
【００６４】
なお、本実施形態では、焦点検出領域を１５設け、調光センサーを３つ設けた場合について説明したが、本発明における焦点検出領域や調光センサーの数はこれに限られるものではない。
【００６５】
【発明の効果】
以上説明したように、本発明によれば、ストロボ光量検出手段の光量検出可能領域のうち合焦領域が配置された部分の検出感度に応じてストロボ光量検出手段の目標検出受光量を設定するようにしているので、合焦領域の位置におけるストロボ光量検出手段の検出感度にかかわらず確実に適正なストロボ光露出を得ることができる。したがって、焦点検出領域が多数設けられても少ない数のストロボ光量検出手段を設ければ足りることになり、カメラの低コスト化およびコンパクト化を図ることができる。
【００６６】
なお、上記発明において合焦領域の選択数や被写体距離に応じてストロボ光量検出手段の目標検出受光量を設定するようにすれば、合焦領域の選択方式や被写体距離（つまりは撮影画面内での被写体の大きさ）にかかわらず、ストロボ発光量のばらつきや露出オーバーを防止することができる。
【００６７】
また、合焦領域が光量検出可能領域内で複数選択されたときに、これら複数の合焦領域が配置された部分のストロボ光量検出手段の検出感度のうち最も低い検出感度に応じてストロボ光量検出手段の目標検出受光量を設定するようにすれば、各合焦領域に対応する検出感度が異なる場合でも、露出オーバーとなるのを確実に防止することができる。
【００６８】
さらに、ストロボ光量検出手段が複数設けられているとともに、各ストロボ光量検出手段の光量検出可能領域内に焦点検出領域が配置されている場合に、光量検出可能領域内に合焦領域が配置されたストロボ光量検出手段に所定の重み付けをして各ストロボ光量検出手段の目標検出受光量を設定するようにすれば、合焦した主被写体に対して適正なストロボ光露出を得ることができるとともに、主被写体よりも近い位置にある被写体に対して露出オーバーになるのを防止できる。
また、目標検出受光量のデータを記憶する消去書き込み可能なメモリを設ければ、メインプログラムを変更することなく簡単にデータの修正等を行うことができる。
【図面の簡単な説明】
【図１】本発明の第１実施形態であるカメラの構成図である。
【図２】上記カメラに用いられる調光センサーの正面図である。
【図３】上記調光センサーの感度分布図である。
【図４】上記カメラの電気制御回路のブロック図である。
【図５】上記カメラの焦点検出領域の配置図である。
【図６】上記焦点検出領域における合焦領域選択方法の説明図である。
【図７】上記焦点検出領域と調光センサーの感度分布との関係を示す説明図である。
【図８】上記カメラの動作フローチャートである。
【図９】上記カメラの動作フローチャートである。
【図１０】上記調光センサーの目標検出受光量の補正データ（遠距離時）を示す表図である。
【図１１】上記調光センサーの目標検出受光量の補正データ（近距離時）を示す表図である。
【図１２】従来のカメラにおける焦点検出領域と調光センサーの感度分布との関係を示す説明図である。
【図１３】従来の調光センサーの目標検出受光量の補正データを示す表図である。
【符号の説明】
１  撮影レンズ
２  主ミラー
３  サブミラー
４  フィルム面
５  フォーカシングスクリーン
６  ペンタプリズム
７  アイピースレンズ
９  調光センサーユニット
１０  調光レンズ
Ａ，Ｂ，Ｃ  調光センサー
Ａ′，Ｂ′，Ｃ′  （調光センサーの）光量検出可能領域
ＬＡ１〜ＬＡ６  等感度曲線
ａ１〜ｅ３  焦点検出領域
【図１】
0003927655.tif 000002
【図２】
0003927655.tif 000003
【図３】
0003927655.tif 000004
【図４】
0003927655.tif 000005
【図５】
0003927655.tif 000006
【図６】
0003927655.tif 000007
【図７】
0003927655.tif 000008
【図８】
0003927655.tif 000009
【図９】
0003927655.tif 000010
【図１０】
0003927655.tif 000011
【図１１】
0003927655.tif 000012
【図１２】
0003927655.tif 000013
【図１３】
0003927655.tif 000014